(57)【要約】【課題】利用者の利便性を考慮した無線サービスシステム、センタ側装置、及びプログラムを提供する。【解決手段】  センタ側装置が、アクセスポイントごとに固有の情報と、当該アクセスポイントの配された地域を特定する地域情報とを関連付けて保持し、また地域情報に関連付けられた配信対象情報を保持する。端末からアクセスポイントに固有の情報を受信すると、当該受信した情報に関連付けられた地域情報を参照し、当該参照した地域情報に関連付けられた配信対象情報を、端末へ配信する。【選択図】図１
2014232380.tif 000002
【特許請求の範囲】
【請求項１】
複数のアクセスポイントと、センタ側装置とを含む無線サービスシステムであって、
前記センタ側装置が、
前記アクセスポイントごとに固有の情報と、当該アクセスポイントの配された地域を特定する地域情報とを関連付けて保持する保持手段と、
前記地域情報に関連付けられた配信対象情報を保持する配信対象情報保持手段と、
を具備し、
端末からアクセスポイントに固有の情報を受信し、当該受信した情報に関連付けられた地域情報を参照し、当該参照した地域情報に関連付けられた配信対象情報を、前記端末へ配信する無線サービスシステム。
【請求項２】
複数のアクセスポイントとの間で通信可能に接続されるセンタ側装置であって、
前記アクセスポイントごとに固有の情報と、当該アクセスポイントの配された地域を特定する地域情報とを関連付けて保持する保持手段と、
前記地域情報に関連付けられた配信対象情報を保持する配信対象情報保持手段と、
端末からアクセスポイントに固有の情報を受信し、当該受信した情報に関連付けられた地域情報を参照し、当該参照した地域情報に関連付けられた配信対象情報を、前記端末へ配信する配信手段と、
を含むセンタ側装置。
【請求項３】
請求項２記載のセンタ側装置であって、
前記端末は、予め定められた種類の環境情報を含めてアクセスポイントに固有の情報をセンタ側装置へ送信し、
前記配信対象情報保持手段に保持された配信対象情報には、前記環境情報に基づいて充足が判断される条件が関連付けられ、
前記配信手段は、端末から受信した、アクセスポイントに固有の情報に関連付けられた地域情報を参照し、当該参照した地域情報に関連付けられた配信対象情報のうち、前記受信した環境情報に基づいて充足すると判断される条件に関連付けられた配信対象情報を、前記端末へ配信するセンタ側装置。
【請求項４】
請求項２または３記載のセンタ側装置であって、
前記配信手段は、前記アクセスポイントを介さずに、端末から前記アクセスポイントに固有の情報を受信し、前記アクセスポイントを介さずに、前記端末に対して配信対象情報を配信する。
【請求項５】
複数のアクセスポイントとの間で通信可能に接続されるセンタ側装置を、
前記アクセスポイントごとに固有の情報と、当該アクセスポイントの配された地域を特定する地域情報とを関連付けて保持する保持手段と、
前記地域情報に関連付けられた配信対象情報を保持する配信対象情報保持手段と、
端末からアクセスポイントに固有の情報を受信し、当該受信した情報に関連付けられた地域情報を参照し、当該参照した地域情報に関連付けられた配信対象情報を、前記端末へ配信する配信手段と、
として機能させるプログラム。
【発明の詳細な説明】
【技術分野】
【０００１】
本発明は、無線サービスシステム、センタ側装置、及びプログラムに関する。
【背景技術】
【０００２】
駅や店舗等の地域や設置者に適切な情報を、無線ＬＡＮ等から提供することを目的として、アクセスポイントの設置場所ごとに予め設定された情報（ＸＸ駅についてＸＸ駅時刻表や、ＸＸ駅近傍の店舗の情報等）を提供する技術が開示されている（特許文献１，００７６段落）。
【先行技術文献】
【特許文献】
【０００３】
【特許文献１】特開２００６−２９５９６１号公報
【発明の概要】
【発明が解決しようとする課題】
【０００４】
しかしながら、上記従来の技術では、アクセスポイントごとに、アクセスポイントの設置者が適切と考える情報が提供されるだけである。例えばＸ駅に配されたアクセスポイントにおいては、Ｘ駅側において適切と考えている情報を配信できるだけに限られる。従って、Ｘ駅の近くにある店舗Ｙにおいて別途アクセスポイントが配されている場合、このアクセスポイントの設置者である店舗Ｙ側で適切と考えて設定されている情報は、Ｘ駅に設置されたアクセスポイントを介して提供されない。
【０００５】
つまり、Ｘ駅のアクセスポイント通信圏内にいる利用者側にしてみれば、Ｘ駅近傍の店舗Ｙの情報は、Ｘ駅側において配信すると決められていない限り受信できないこととなり、利便性が低い。
【０００６】
本発明は上記実情に鑑みて為されたもので、利用者の利便性を考慮した無線サービスシステム、センタ側装置、及びプログラムを提供することを、その目的の一つとする。
【課題を解決するための手段】
【０００７】
上記従来例の問題点を解決する本発明は、複数のアクセスポイントと、センタ側装置とを含む無線サービスシステムであって、前記センタ側装置が、前記アクセスポイントごとに固有の情報と、当該アクセスポイントの配された地域を特定する地域情報とを関連付けて保持する保持手段と、前記地域情報に関連付けられた配信対象情報を保持する配信対象情報保持手段と、を具備し、端末からアクセスポイントに固有の情報を受信し、当該受信した情報に関連付けられた地域情報を参照し、当該参照した地域情報に関連付けられた配信対象情報を、前記端末へ配信することとしたものである。
【０００８】
また本発明の一態様は、複数のアクセスポイントとの間で通信可能に接続されるセンタ側装置であって、前記アクセスポイントごとに固有の情報と、当該アクセスポイントの配された地域を特定する地域情報とを関連付けて保持する保持手段と、前記地域情報に関連付けられた配信対象情報を保持する配信対象情報保持手段と、アクセスポイントに固有の情報を端末から受信し、当該受信した情報に関連付けられた地域情報を参照し、当該参照した地域情報に関連付けられた配信対象情報を、前記端末へ配信する配信手段と、を含むこととしたものである。
【０００９】
ここで前記端末は、予め定められた種類の環境情報を含めてアクセスポイントに固有の情報をセンタ側装置へ送信し、前記配信対象情報保持手段に保持された配信対象情報には、前記環境情報に基づいて充足が判断される条件が関連付けられ、前記配信手段は、端末から受信した、アクセスポイントに固有の情報に関連付けられた地域情報を参照し、当該参照した地域情報に関連付けられた配信対象情報のうち、前記受信した環境情報に基づいて充足すると判断される条件に関連付けられた配信対象情報を、前記端末へ配信することとしてもよい。
【００１０】
またここで前記配信手段は、前記アクセスポイントを介さずに、端末から前記アクセスポイントに固有の情報を受信し、前記アクセスポイントを介さずに、前記端末に対して配信対象情報を配信してもよい。
【００１１】
さらに本発明の別の態様はプログラムであって、複数のアクセスポイントとの間で通信可能に接続されるセンタ側装置を、前記アクセスポイントごとに固有の情報と、当該アクセスポイントの配された地域を特定する地域情報とを関連付けて保持する保持手段と、前記地域情報に関連付けられた配信対象情報を保持する配信対象情報保持手段と、アクセスポイントに固有の情報を端末から受信し、当該受信した情報に関連付けられた地域情報を参照し、当該参照した地域情報に関連付けられた配信対象情報を、前記端末へ配信する配信手段と、として機能させることとしたものである。
【発明の効果】
【００１２】
本発明によると、地域情報に基づいて配信が行われるので、利用者の利便性を考慮した無線サービスが提供できる。
【図面の簡単な説明】
【００１３】
【図１】本発明の実施の形態に係る無線サービスシステムの構成例を表すブロック図である。
【図２】本発明の実施の形態に係るセンタ側装置が記憶する地域情報の例を表す説明図である。
【図３】本発明の実施の形態に係るセンタ側装置が記憶する配信対象情報の例を表す説明図である。
【図４】本発明の実施の形態に係るセンタ側装置の例を表す機能ブロック図である。
【図５】本発明の実施の形態に係るセンタ側装置が記憶する配信対象情報の別の例を表す説明図である。
【発明を実施するための形態】
【００１４】
本発明の実施の形態について図面を参照しながら説明する。本発明の実施の形態に係る無線サービスシステムは、図１に例示するように、複数のアクセスポイント１０ａ，ｂ…と、センタ側装置２０とを含んで構成されている。アクセスポイント１０とセンタ側装置２０とはインターネット等の通信回線を介して通信可能に接続される。
【００１５】
本実施の形態のアクセスポイント１０は、端末装置３０やパーソナルコンピュータ等との間で802.11b/g等の規格に従って無線にて通信を行う、例えば無線ＬＡＮ装置である。このアクセスポイント１０には、それぞれに固有の情報（ＢＳＳＩＤ（Basic Service Set Identifier））としてＭＡＣ（Media Access Control）アドレス等が設定されている。本実施の形態ではアクセスポイント１０は、定期的に自己に固有の情報（ＢＳＳＩＤやＳＳＩＤ（Service Set Identifier）等）を配信しており、この情報を受けて接続の要求を行った端末装置３０をパスワード等の情報によって認証する。そしてアクセスポイント１０は、認証に成功した端末装置３０との間で無線ＬＡＮによる通信を実行し、端末装置３０からセンタ側装置２０等を宛先として指定されたデータを受信すると、当該データを、当該指示された宛先に送出する。またセンタ側装置２０等から端末装置３０宛の情報を受信すると、当該情報を端末装置３０宛に送出する。なお、以下では、アクセスポイントごとに固有の情報としてＢＳＳＩＤを用いることとするが、本実施の形態はこれに限られるものではない。また、ここではアクセスポイント１０は無線ＬＡＮのアクセスポイントであるものとしたが、これに限られず、例えば携帯電話通信網等における基地局等であってもよい。
【００１６】
また本実施の形態では、端末装置３０は、無線通信機能を有するデバイスであり、例えば一般的な携帯電話機やスマートフォンでよい。この場合端末装置３０は、アクセスポイント１０による認証ができない場合であっても、携帯電話回線網（３Ｇ回線やＬＴＥ回線等）を介してセンタ側装置２０との間で通信が可能となる。
【００１７】
センタ側装置２０は、図１に例示したように、制御部２１と、記憶部２２と、通信部２３とを含んで構成される。ここで制御部２１は、ＣＰＵなどのプログラム制御デバイスであり、記憶部２２に格納されたプログラムに従って動作する。本実施の形態においてこの制御部２１は、端末に対して、予め定めた方法で選択した配信対象情報を送出する。この制御部２１の詳しい動作は後に説明する。
【００１８】
記憶部２２は、ディスクデバイスやメモリデバイスを含んで構成される。本実施の形態においてこの記憶部２２は、制御部２１によって実行されるプログラムを保持する。このプログラムは、ＤＶＤ−ＲＯＭ等のコンピュータ可読な記録媒体を用いて提供され、この記憶部２２に格納されたものであってもよい。この記憶部２２は、また、制御部２１のワークメモリとしても動作する。
【００１９】
また本実施の形態では、この記憶部２２には、図２に例示するように、アクセスポイント１０ごとに固有の情報Ａと、各アクセスポイント１０が配された地域を特定する少なくとも一つの（複数であってもよい）地域情報Ｂとが関連付けて地域情報データベースとして保持されている。具体的にここでの地域情報Ｂは、アクセスポイント１０が配されている場所の住所情報や当該住所情報から得られる緯度、経度の情報（これらをまとめて地理的情報と称する）の少なくとも一部であってもよいし、設置されている場所の電話番号のうち市外局番と市内局番とを含むものなど、何らかの管理区域を表す情報（管理区域特定情報）や、その一部分等であってもよい。また、この地域情報Ｂには、アクセスポイント１０が配されている店舗名等の施設名称が含まれていてもよい。
【００２０】
さらに記憶部２２は、図３に例示するように、この地域情報Ｂに対して当該地域情報Ｂによって表される場所にアクセスポイント１０を配している設置者から受け入れた、配信対象情報Ｃを関連付けた配信対象情報データベースを保持している。ここで配信対象情報Ｃは、文字列の情報であってもよいし、静止画像データや動画像データ、さらにはそれらを組み合せたウェブページ（より具体的には、ウェブページを構成する文字列や画像データ等をＺＩＰ等広く知られた方法でアーカイブしたもの）等であっても構わない。さらに配信対象情報Ｃには、当該配信対象情報Ｃを受け入れた日時を表す情報が関連付けて記録されていてもよい。
【００２１】
通信部２３は、例えばネットワークインタフェース等であり、各アクセスポイント１０に対して、インターネット等の通信回線を介して通信可能に接続されている。
【００２２】
端末装置３０は、例えばスマートフォン等であり、本実施の形態においては、アクセスポイント１０からＢＳＳＩＤ等の、アクセスポイント１０に固有の情報を受信すると、当該アクセスポイント１０に固有の情報を、センタ側装置２０に送出する。また、この端末装置３０はセンタ側装置２０から受信した、配信対象情報を受け入れて、当該受け入れた配信対象情報を利用者に提示する。なお、この端末装置３０は、アクセスポイント１０による認証を受けて、アクセスポイント１０との間で無線ＬＡＮによる通信を行うことができる場合は、アクセスポイント１０を介してセンタ側装置２０と通信を行ってもよい。
【００２３】
また、アクセスポイント１０との間で無線ＬＡＮによる通信を行うことができない場合、端末装置３０は、他の無線ＬＡＮシステムや有線ＬＡＮを介して、または携帯電話回線網を介してインターネット上にあるセンタ側装置２０と通信を行ってもよい。この場合、端末装置３０は、アクセスポイント１０からは、そのアクセスポイント１０が配信しているＳＳＩＤやＢＳＳＩＤ等を受信するのみで、センタ側装置２０との間の通信は、アクセスポイント１０を用いずに行うこととなる。
【００２４】
ここでセンタ側装置２０の制御部２１の動作例について説明する。本実施の形態の一例では、この制御部２１は、図４に例示するように、アクセスポイント１０側から情報を受信する受信部４１と、地域情報参照部４２と、配信対象情報選択部４３と、配信対象情報提供部４４とを含んで構成される。
【００２５】
受信部４１は、アクセスポイント１０に固有の情報（例えばＢＳＳＩＤ）を取得した端末装置３０から、当該アクセスポイント１０に固有の情報を受信する。地域情報参照部４２は、受信部４１が受信した、アクセスポイント１０に固有の情報に関連付けて、地域情報データベースに格納されている地域情報を参照する。
【００２６】
配信対象情報選択部４３は、地域情報参照部４２が参照した地域情報に関連付けられている配信対象情報を、記憶部２２から読み出す。なお、地域情報が複数関連付けられている配信対象情報があれば、当該複数の地域情報のうち一つが、地域情報参照部４２が参照した地域情報に一致する配信対象情報を読み出すこととすればよい。配信対象情報提供部４４は、配信対象情報選択部４３が読み出した配信対象情報を、受信部４１が受信したアクセスポイント１０に固有の情報の送信元である端末装置３０へ配信する。
【００２７】
具体的に、ここで地域情報が住所であるとして制御部２１の動作について説明すると、次のようになる。この例では、地域情報データベースの地域情報Ｂは住所情報の一部として「東京都港区東新橋一丁目」といった情報であるものとする。また、ここでの例において、アクセスポイント１０ａ，ｂ，…の設置場所を提供する各施設では予め、設置したアクセスポイント１０に固有な情報（ＢＳＳＩＤ）と、配信対象情報Ｃとをセンタ側装置２０に対してアップロードする。
【００２８】
センタ側装置２０では、アップロード時に受信したアクセスポイント１０に固有な情報に関連付けて地域データベースに格納されている地域情報を取り出す。そして当該取り出した地域情報と、受信した配信対象情報とを関連付けて記憶部２２に蓄積して格納する。従って例えば地域情報が「東京都港区東新橋一丁目」であるような複数の施設にそれぞれ異なるアクセスポイント１０が配されている場合、これらの施設のそれぞれからアップロードされた配信対象情報Ｃには、いずれも「東京都港区東新橋一丁目」なる地域情報が関連付けられた状態で記憶部２２に保持される。
【００２９】
また制御部２１は、記憶部２２に格納されたプログラムを実行することにより、図４に例示した各部の動作を行い、受信部４１としての動作において端末装置３０から、当該端末装置３０が取得したアクセスポイント１０に固有の情報としてのＢＳＳＩＤ「Ｘ」を受信する。
【００３０】
そして制御部２１は地域情報参照部４２として動作し、受信したＢＳＳＩＤ「Ｘ」に関連付けられている地域情報、「東京都港区東新橋一丁目」を参照する。制御部２１は、ここで参照した地域情報に関連付けられて記憶部２２に格納されている配信対象情報Ｃを読み出す。
【００３１】
このとき制御部２１は、ＢＳＳＩＤ「Ｘ」のアクセスポイント１０を配置している施設からアップロードされた配信対象情報Ｃｘを読み出すだけではなく、次の情報も読み出す。すなわち、このアクセスポイント１０のＢＳＳＩＤ「Ｘ」に関連付けられた地域情報（「東京都港区東新橋一丁目」）と同じ地域情報の表す地域に配されたアクセスポイント１０の設置施設からアップロードされた配信対象情報Ｃｙ，Ｃｚ…も、この記憶部２２には格納されている。
【００３２】
そこで制御部２１は、当該ＢＳＳＩＤ「Ｘ」のアクセスポイント１０を配置している施設からアップロードされた配信対象情報Ｃｘだけでなく、別のアクセスポイント１０の設置施設であって、関連する地域情報が「東京都港区東新橋一丁目」である設置施設からアップロードされた配信情報Ｃｙ，Ｃｚ…も併せて読み出す。そして制御部２１は、当該読み出した配信情報Ｃｘ，Ｃｙ，Ｃｚ…を、端末装置３０に対して配信する。
【００３３】
これにより端末装置３０の利用者は、端末装置３０が固有の情報を取得したアクセスポイント１０の設置者がアップロードした情報以外に、このアクセスポイント１０の近隣に配された他のアクセスポイント１０の設置者がアップロードした情報も受け取ることができるようになる。
【００３４】
またここでは制御部２１は、受信したアクセスポイント１０に固有の情報に関連付けられて保持されている地域情報と同じ地域情報に関連付けられている配信対象情報を取得することとしているが、本実施の形態はこれに限られず、受信したアクセスポイント１０に固有の情報に関連付けられて保持されている地域情報Ｂに対して、地図上、近接している地域を表す地域情報Ｂｘ，Ｂｙ…を取得し、受信したアクセスポイント１０に固有の情報に関連付けられて保持されている地域情報Ｂと当該取得した近接している地域の地域情報Ｂｘ，Ｂｙ…とのいずれかに関連付けて保持されている配信対象情報を取得することとしてもよい。
【００３５】
具体的には、受信したアクセスポイント１０に固有の情報に関連付けられて保持されている地域情報Ｂが「東京都港区東新橋一丁目」であれば、この地域の近隣である「新橋一丁目」や「銀座八丁目」などの地域情報に関連付けられた配信対象情報も取得の対象としてもよい。
【００３６】
この場合、端末装置３０の利用者は、現在端末装置３０が所在している地域だけでなく、近隣地域における配信対象情報の配信も受けることができるようになる。
【００３７】
さらに本実施の形態においては、端末装置３０は歩数計、加速度センサ、照度センサ、温度センサ、湿度センサ等を備えて、歩数、加速度、照度、温度、湿度等の情報、さらには通信環境（接続ベアラ、つまり３Ｇ，４Ｇ，ＬＴＥの別やＷｉ−Ｆｉ通信が行われているか否かなど）の情報（以下、環境情報と呼ぶ）を取得し、これらの環境情報を、アクセスポイント１０に固有な情報とともに、センタ側装置２０に送信してもよい。また環境情報はこれらに限られるものではなく、端末装置３０は、アクセスポイント１０が送信する信号の電界強度（ＲＳＳＩ）や電池残量といった情報を環境情報として取得し、これらの環境情報を、アクセスポイント１０に固有な情報とともに、センタ側装置２０に送信してもよい。
【００３８】
この例においては、センタ側装置２０の制御部２１は、受信部４１としての動作において、アクセスポイント１０に固有の情報（例えばＢＳＳＩＤ）を取得した端末装置３０から、当該アクセスポイント１０に固有の情報とともに環境情報（歩数、加速度、照度、温度、湿度、接続ベアラ、アクセスポイント１０が送信する信号の電界強度（ＲＳＳＩ）や電池残量等の情報）を受信する。
【００３９】
そしてこの例においては、図３に例示したものに代えて、図５に例示するように、配信対象情報Ｃが、この地域情報Ｂだけでなく、環境情報に基づいて充足が判断される条件Ｓにも関連付けて記録される。この条件Ｓもまた、配信対象情報Ｃの提供者が指示したものであってもよい。ここで条件Ｓには、例えば端末装置３０の保持者が移動中であるか否か（加速度の情報に基づいて判断できる）、端末装置３０を操作中であるか否か（照度の情報に基づいて判断できる）といった条件が含まれる。
【００４０】
また、センタ側装置２０は、端末装置３０から前回受信した環境情報を記録しておいてもよい。この場合、センタ側装置２０は、受信部４１としての動作において、アクセスポイント１０に固有の情報と環境情報とを端末装置３０から受信すると、当該情報の送信元である端末装置３０を特定する情報（端末装置３０の電話番号情報やネットワークアドレス等でよい）に対し、当該端末装置３０から受信したアクセスポイント１０に固有の情報と環境情報とを関連付けて記憶部２２に格納しておく。
【００４１】
これによるとセンタ側装置２０の制御部２１は、端末装置３０からアクセスポイント１０に固有の情報を受信したときに、当該端末装置３０を特定する情報に関連付けて記録された、前回当該端末装置３０から受信したアクセスポイント１０に固有の情報を読み出し、今回受信したアクセスポイント１０に固有の情報と比較する。そしてこれらが異なっていれば、制御部２１は、端末装置３０が、新たに今回受信したアクセスポイント１０の配置された地域に入った（新規訪問）と判断する。また今回受信したアクセスポイント１０に固有の情報と前回受信したアクセスポイント１０に固有の情報が同じであり、環境情報に含まれる加速度の情報により端末装置３０が移動中であると判断される場合は、制御部２１は、端末装置３０が、今回受信したアクセスポイント１０との無線通信が可能な圏内に滞在中であると判断する。さらに、今回受信したアクセスポイント１０に固有の情報と前回受信したアクセスポイント１０に固有の情報が同じであり、かつ、環境情報に含まれるＲＳＳＩにより、ＲＳＳＩが減少傾向にあり、かつ今回受信した環境情報に含まれるＲＳＳＩが予め定めたしきい値を下回る場合は、制御部２１は、端末装置３０が、今回受信したアクセスポイント１０との無線通信が可能な圏内から退出しようとしていると判断する。
【００４２】
さらに、今回受信したアクセスポイント１０に固有の情報と前回受信したアクセスポイント１０に固有の情報とは異なるが、今回受信したアクセスポイント１０に固有の情報と同じ情報が、過去に受信したアクセスポイント１０に固有の情報として記録されている場合は、端末装置３０の利用者が、今回受信したアクセスポイント１０との無線通信が可能な圏内に再度訪問したもの（再訪問）と判断できる。
【００４３】
そこでセンタ側装置２０がこのような動作を行う場合、上記の条件Ｓとして、端末装置３０が新規訪問したか、滞在中であるか、退出しようとしているかの条件としてもよい。
【００４４】
配信対象情報選択部４３は、地域情報参照部４２が参照した地域情報に関連付けられている配信対象情報のうち、環境情報（あるいは記録された環境情報等）により充足すると判断される条件Ｓに関連付けられた配信対象情報を記憶部２２から読み出す。具体的に、地域情報Ｂ：「東京都港区東新橋一丁目」に対して、
（１）端末装置３０の検出する照度がしきい値を上回る（取り出されて操作されている）との条件Ｓａに関連付けられた配信対象情報Ｃａ：「商品紹介情報」と、
（２）端末装置３０がアクセスポイント１０との無線通信が可能な圏内から退出しようとしているとの条件Ｓｂに関連付けられた配信対象情報Ｃｂ：「次回のご来店時に利用可能なクーポン」と、
が関連付けられているものとする。
【００４５】
このときセンタ側装置２０では、端末装置３０から、当該端末装置３０が取得したアクセスポイント１０に固有の情報としてのＢＳＳＩＤと、環境情報として照度の情報とを受信する（既に述べたように、これらの情報の受信は、アクセスポイント１０を経由せずに行われてもよい）。そして、この受信したＢＳＳＩＤに関連付けられている地域情報、「東京都港区東新橋一丁目」を参照する。そして制御部２１は、ここで参照した地域情報に関連付けられて記憶部２２に格納されている配信対象情報Ｃａ，Ｃｂ…に関連付けられた条件の情報Ｓａ，Ｓｂ…を参照する。
【００４６】
制御部２１は、これら条件の情報のうち、端末装置３０から受信した環境情報等に基づいて判断可能な条件を抽出する。ここでは、環境情報として照度の情報が受信されているとしているので、条件Ｓａ（端末装置３０の検出する照度がしきい値を上回る）が判断可能な条件として抽出される。そして制御部２１は、この抽出した条件が充足されるか否か、つまり、端末装置３０から受信した照度の情報が、予め定められたしきい値を上回るか否かを判断する。
【００４７】
ここで端末装置３０から受信した照度の情報が、予め定められたしきい値を上回ると判断されると、制御部２１は、地域情報「東京都港区東新橋一丁目」及び条件Ｓａに関連付けられた配信対象情報Ｃａ：「商品紹介情報」を記憶部２２から読み出して、端末装置３０に対して配信する。
【００４８】
また、端末装置３０はアクセスポイント１０からＢＳＳＩＤ等の、アクセスポイント１０に固有の情報を受信した後、すぐに当該固有の情報をセンタ側装置２０に送信するのではなく、予め定めたタイミングが到来したとき（例えば利用者が明示的に指示を行ったときや、端末装置３０側で判断可能な所定の条件を満足した場合、一例として端末装置３０がアクセスポイント１０との間の信号強度の変化等により、その移動を検出したときなど）に、当該情報を送信することとしてもよい。
【００４９】
さらに本実施の形態においては、端末装置３０がアクセスポイント１０からＢＳＳＩＤ等の、アクセスポイント１０に固有の情報を受信したときに、予め定められた条件を満足するアクセスポイント１０に関する固有の情報を選択して、センタ側装置２０に送出することとしてもよい。
【００５０】
例えばセンタ側装置２０と同じ管理者により管理されるアクセスポイント１０には、予め定められた文字列を含んだＳＳＩＤを設定しておくなどして、ＳＳＩＤによりセンタ側装置２０と同じ管理者により管理されるアクセスポイント１０であるか否かを判断可能としておく。そして端末装置３０は、受信したＳＳＩＤに当該予め定めた文字列が含まれているなど、センタ側装置２０と同じ管理者により管理されるアクセスポイント１０であると判断されるアクセスポイント１０に限り、当該アクセスポイント１０に固有な情報をセンタ側装置２０へ送信することとしてもよい。
【００５１】
また別の例では、端末装置３０は、予めセンタ側装置２０に対して固有の情報を送出するアクセスポイント１０のリスト（そのＳＳＩＤのリスト等）の提供を受けておいてもよい。この場合、端末装置３０がアクセスポイント１０からＢＳＳＩＤ等の、アクセスポイント１０に固有の情報を受信したときに、当該アクセスポイント１０のＳＳＩＤが予め設定されたリストに登録されているか否かを調べ、登録されている場合に、当該アクセスポイント１０に固有な情報をセンタ側装置２０へ送信する。
【００５２】
さらに本実施の形態の端末装置３０は、アクセスポイント１０との通信を行っていないときに（Ｗｉ−Ｆｉネットワークに接続されていないときに）、あるいは、いずれかのアクセスポイント１０との通信中に、予め定めたタイミングごとに繰返し、固有の情報を受信可能なアクセスポイント１０の有無を調べても（アクセスポイント１０をサーチしても）よい。
【００５３】
このときには、端末装置３０は、当該サーチにより固有の情報を受信可能なアクセスポイント１０や、現在通信中のアクセスポイント１０の固有の情報を受信し、当該受信した固有の情報をセンタ側装置２０へ送信する。この場合も、予め定められた条件を満足するアクセスポイント１０についてのみ、その固有の情報を送信することとしてもよい。
【００５４】
またこのようにサーチを繰返し行う場合は、端末装置３０のバッテリーの充電状況に応じて繰返しのタイミングを異ならせてもよい。例えば、バッテリーが９０％以上の充電状況にある場合には３分ごと、バッテリーが９０％未満６０％以上の充電状況にある場合は５分ごと、…というように、バッテリーの充電率が低下するごとに（つまりバッテリーによる端末装置３０の駆動可能時間が低下するごとに）、繰返しの間隔が大きくなるように設定してもよい。また、利用者から明示的にサーチの指示を受けた場合には、バッテリーの残量に関わらずサーチを行うこととしてもよい。
【００５５】
さらにサーチを行わないときには（またいずれかのアクセスポイント１０との通信も行っていないときには）、端末装置３０は、Ｗｉ−Ｆｉネットワークとの通信を行うネットワークインタフェースへの電源供給を遮断することとしてもよい。
【００５６】
また端末装置３０は環境情報として、接続している携帯電話回線網のキャリア（運営企業）を特定する情報を、センタ側装置２０へ送出してもよい。このような環境情報を用いて判断される条件Ｓとして、端末装置３０の利用者が特定のキャリアと契約しているか否かの条件が設定できる。つまり、特定のキャリアと契約している利用者に対してのみ配信される配信対象情報を設定できることとなる。
【００５７】
さらにセンタ側装置２０の制御部２１は、配信対象情報を端末装置３０へ配信した場合に、配信した日時の情報（コンピュータが一般的に備えるカレンダーＩＣや、インターネットを介して取得できる）と、配信した配信対象情報と、配信先となった端末装置３０を特定する情報とを含む記録（配信ログ）を、記憶部２２に蓄積して記録してもよい。
【００５８】
この場合にはセンタ側装置２０は、配信対象情報についても、当該配信対象情報を受け入れた日時を関連付けて記憶しておき、次のように動作してもよい。すなわち端末装置３０からアクセスポイント１０に固有の情報を受信すると、センタ側装置２０の制御部２１は、当該固有の情報に関連付けて保持されている地域情報と同じ地域情報に関連付けられた配信対象情報のうち、固有の情報の受信元である端末装置３０を特定する情報（電話番号や端末製造番号等）を取得する。制御部２１は、当該情報に関連付けて記憶されている配信ログの配信日時の情報を記憶部２２から読み出して、当該日時より後の日時が、受け入れた日時として関連付けられている配信対象情報を選択する。そして制御部２１は、当該選択した配信対象情報を端末装置３０へ配信する。この配信もまた、アクセスポイント１０を介さずに行われても構わない。
【００５９】
さらに本実施の形態の一例では、受信したアクセスポイント１０に固有の情報に関連付けられて保持されている地域情報と同じ地域情報（または近接する地域情報）に関連付けられている配信対象情報が取得されることとなっているが、これによると当該受信した固有の情報で特定されるアクセスポイント１０の設置者が配信したくない種類の情報まで配信されてしまうこともあり得る（例えば学習塾にアクセスポイント１０が設置されている場合に、近くの居酒屋の情報が配信されてしまう場合など）。
【００６０】
そこで本実施の形態においてはさらに、配信対象情報のそれぞれに、情報の種別を表す種別情報が関連付けられ、あるいは含まれていてもよい。具体的には、居酒屋の紹介情報であれば、情報の種別として「対象：成人」などといった情報を含める。一方で、センタ側装置２０は、アクセスポイント１０に固有の情報に対して、配信を制限するべき情報の種別（または配信可能とする情報の種別）を特定する情報を関連付けて記憶しておく。
【００６１】
この場合制御部２１は、配信対象情報選択部４３の動作として、配信先である端末装置３０から受信しているアクセスポイント１０に固有の情報に関連付けられている配信を制限するべき情報の種別を取得しておく。そして配信の対象として選択した配信対象情報についてその情報の種別を表す情報を参照し、取得した、配信を制限するべき種別の情報であると判断されると、当該配信対象情報については配信の対象から排除する。
【００６２】
またここではセンタ側装置２０において配信の制限を行っているが、この処理は端末装置３０側で行ってもよい。例えば端末装置３０が利用者への提示を制限するべき情報の種別（または提示を可能とする情報の種別）を特定する情報を関連付けて記憶しておく。
【００６３】
この場合センタ側装置２０は、端末装置３０へ配信対象情報を配信する際に、当該配信した配信対象情報の種別を特定する情報を併せて配信する。端末装置３０では、受信した配信対象情報と、その種別を特定する情報とを関連付けて記憶部に蓄積して記憶し、記憶した各情報で特定される種別が、提示を制限するべき種別を表すものとして設定されているか否かを調べる。ここで、提示を制限するべき種別を表す情報と判断される情報に関連付けた配信対象情報については、提示することなく記憶部から消去する。そして端末装置３０は、記憶部に残っている配信対象情報を利用者に提示する。
【００６４】
また提示する配信対象情報の種別が設定されている場合は、記憶した各情報で特定される種別が、提示するべき種別を表すものとして設定されているか否かを調べる。ここで、提示するべき種別を表す情報と判断される情報に関連付けられていない配信対象情報については、提示することなく記憶部から消去する。そして端末装置３０は、記憶部に残っている配信対象情報を利用者に提示する。
【００６５】
また、アクセスポイント１０に固有の情報に対して、配信可能とする情報の種別を特定する情報を関連付けて記憶している場合は、制御部２１は、配信対象情報選択部４３の動作として、配信先である端末装置３０から受信しているアクセスポイント１０に固有の情報に関連付けられている配信可能とする情報の種別を取得しておく。そして配信の対象として選択した配信対象情報についてその情報の種別を表す情報を参照し、取得した、配信を可能とする種別の情報でないと判断されると、当該配信対象情報については配信の対象から排除する。
【００６６】
このように本実施の形態によると、地域情報に基づいて配信が行われるので、利用者の利便性を考慮した無線サービスが提供できる。また、本実施の形態の例では、アクセスポイント１０に固有の情報を用いて端末装置３０への情報配信を実現するため、端末装置３０においてＧＰＳ（Global Positioning System）が起動していない場合であっても、いわゆるＧＥＯフェンス（予め設定した地域に端末装置３０が訪問した、あるいは立去ろうとしている、といった制御）と同等の制御を実現できる。
【００６７】
次に、配信対象情報の登録について説明する。本実施の形態の一例では、アクセスポイント１０の設置者が、当該アクセスポイント１０を設置した店舗等の広告を配信対象情報として登録する。本実施の形態におけるある例では、アクセスポイント１０の設置者に対して、配信対象情報を生成して登録するためのアプリケーションプログラムが提供される。このアプリケーションプログラムは、パーソナルコンピュータＰＣ（スマートフォンやタブレット型端末でもよい）等の上で動作するものであり、このプログラムに従ってパーソナルコンピュータＰＣ等（以下ではパーソナルコンピュータＰＣを用いて説明することとし、そのように表記する）は次のように動作する。
【００６８】
すなわちこの例に係るパーソナルコンピュータＰＣは、例えば設置したアクセスポイント１０との間でＷｉ−Ｆｉによる無線通信を行う。そして配信対象情報としてのクーポン（割引券）発行のためのインタフェースを提示する。このインタフェースは具体的には割引率（１０％、２０％、３０％…）の選択入力欄と、有効期限（当日、一週間以内…）の選択入力欄と、発行のタイミング（新規訪問時、滞在時、退出時等）の選択入力欄とを提示するものである。
【００６９】
設置者が、これら割引率や有効期限、発行タイミングなどを選択して入力すると、パーソナルコンピュータＰＣは、通信中のアクセスポイント１０に固有の情報を取得する。そしてパーソナルコンピュータＰＣは、設置者の選択に応じた内容を表示する配信対象情報を生成し、発行タイミング等条件の基となる情報と、アクセスポイント１０に固有の情報とともにセンタ側装置２０へ送出する。
【００７０】
センタ側装置２０では、これらの情報を受信すると、受信したアクセスポイント１０に固有の情報に関連付けて記憶している地域情報を取得する。そしてセンタ側装置２０は、受信した、条件の基となる情報に基づいて生成した条件の情報と、受信した配信対象情報とを、取得した地域情報に関連付けて記憶部２２に格納する。
【００７１】
なお、配信対象情報の登録は、必ずしもアクセスポイント１０を介して行われる必要はない。例えば、配信対象情報を生成・登録するアプリケーションプログラムを動作させるパーソナルコンピュータＰＣは、有線ＬＡＮや携帯電話通信網等、アクセスポイント１０を介さない通信手段を用いてインターネット上のセンタ側装置２０にアクセスすることとしてもよい。
【００７２】
この場合、センタ側装置２０において、予めアクセスポイント１０に固有の情報に関連付けて、当該情報で特定されるアクセスポイント１０の設置者を認証する情報（設置者のユーザ名やパスワード等）を保持しておく。そしてセンタ側装置２０では、アクセス元であるパーソナルコンピュータＰＣの利用者に、ユーザ名とパスワードとを入力させて認証し、認証したユーザ名等に関連付けられた、アクセスポイント１０に固有の情報を読み出す。
【００７３】
またこの例においても、パーソナルコンピュータＰＣは、配信対象情報としてのクーポン（割引券）発行のためのインタフェースを利用者に提示する。設置者が、これら割引率や有効期限、発行タイミングなどを選択して入力すると、設置者の選択に応じた内容を表示する配信対象情報を生成し、この配信対象情報を、発行タイミング等条件の基となる情報とともにセンタ側装置２０へ送出する。
【００７４】
センタ側装置２０では、これらの情報を受信すると、認証時に入力されたユーザ名に関連付けられていた、アクセスポイント１０に固有の情報に関連付けて記憶している地域情報を取得する。そしてセンタ側装置２０は、受信した、条件の基となる情報に基づいて生成した条件の情報と、受信した配信対象情報とを、取得した地域情報に関連付けて記憶部２２に格納する。
【符号の説明】
【００７５】
１０  アクセスポイント、２０  センタ側装置、２１  制御部、２２  記憶部、２３  通信部、３０  端末装置、４１  受信部、４２  地域情報参照部、４３  配信対象情報選択部、４４  配信対象情報提供部。
【図１】
2014232380.tif 000003
【図２】
2014232380.tif 000004
【図３】
2014232380.tif 000005
【図４】
2014232380.tif 000006
【図５】
2014232380.tif 000007